(57)【特許請求の範囲】
【請求項１】
オス端子の挿入方向に延びる第１コンタクト片と第２コンタクト片とが互いに間隔をおいて形成された受容部を有するメス端子がハウジングに装着されたリセプタクルコネクタと、
前記受容部内に挿入された状態で、前記第１コンタクト片に接触する第１コンタクト部と前記第２コンタクト片に接触する第２コンタクト部と、が形成された突出部を有するオス端子がハウジングに装着されたプラグコネクタと、
前記オス端子の前記ハウジングに対する固定部と前記突出部との間に設けられ、前記メス端子に対するオス端子の接触状態を保持し、かつ前記ハウジングに対する固定部から突出部に向かって直線状に延びる弾性支持部と、を備え、
前記オス端子は、前記弾性支持部の先端から分岐した一対の分岐片と、両分岐片の先端部にそれぞれ設けられた第１コンタクト部および第２コンタクト部とをさらに備え、
前記各分岐片には、その長さ方向の途中にＵ形状の湾曲部がそれぞれ形成され、各湾曲部が前記弾性支持部の先端よりも前記固定部側へ変位している、基板接続用コネクタ。
【請求項２】
前記第１コンタクト部と第２コンタクト部とは、前記弾性支持部の中心軸線に対して相対する位置に設けられ、かつ、前記各分岐片の弾性によって互いに接近及び離間する方向へ変位可能である、請求項１記載の基板接続用コネクタ。
【請求項３】
互いに平行または直交する形態で電気的に接続される一方の基板と他方の基板を備え、一方の基板に前記リセプタクルコネクタが搭載され、他方の基板に前記プラグコネクタが搭載される、請求項１記載の基板接続用コネクタ。
【請求項４】
前記メス端子の受容部は断面コ字形の凹面として形成され、その凹面の相対する内面の一方が前記第１コンタクト片で形成され、他方が前記第２コンタクト片で形成され、前記第１コンタクト部および第２コンタクト部が前記突出部の先端部に形成されている、請求項１記載の基板接続用コネクタ。
【発明の詳細な説明】
【０００１】
【発明の属する技術分野】
本発明は、基板どうしを接続するための基板接続用コネクタに関するもので、例えば、携帯電話機のバッテリと内部回路の接続部分などに好適に使用されるものである。
【０００２】
【従来の技術】
従来から、一方と他方のコネクタが正対して適正に嵌合できるようにしたフローティングコネクタの技術が知られている。この技術は、実公平５−３１８３４号公報、特開平９−１４７９８５号公報などに開示されている。
【０００３】
このフローティングコネクタは、例えば、一方のコネクタを他方のコネクタに対して、その嵌合方向（Ｚ方向）、その嵌合方向と直交しかつ互いの間でも直交する縦方向（Ｘ方向）及び横方向（Ｙ方向）で移動可能な構造としている。そして、一方と他方のコネクタが嵌合した状態では、双方のコネクタは互いにリジットとなって、一方のコネクタの端子と他方のコネクタの端子の接触を固定的に維持する。
【０００４】
このように、従来のフローティングコネクタにおいては、嵌合状態で一方のコネクタに加えられた振動や衝撃は吸収されることなく他方のコネクタへも伝達される問題点があった。特に、携帯電話機等の使用環境では落下などの予期しない大きな衝撃が加えられる可能性があり、コネクタが実装された基板上の電子部品の誤動作や故障を招く恐れが大きかった。このため、基板に振動や衝撃を吸収する機構を設けるなどの対策が必要となり、機器の小型化を難しくしている。
【０００５】
また、従来のフローティングコネクタでは、通常、端子どうしの接触を１点接触させる構造としていたが、衝撃や振動が加わると端子どうしの接点が離れ、一時的に接触不良となる恐れがあった。この点、実公平５−３１８３４号公報に記載されている技術は、プラグコネクタ側のピン型端子をリセプタクルコネクタ側の端子の一対の接触片間に挿入することで２点接触させる構成としている。しかしながら、このようにピン型端子を一対の接触片で左右から挟み付ける構造のものでは、両者をリジットに接続する場合には有効であるが、振動や衝撃が伝達されやすい問題がある。
【０００６】
そこで、本出願の発明者等は、こうした問題を解決する基板接続用コネクタ（特開２００１−８５０８６号公報）を既に提案した。
【０００７】
この基板接続用コネクタは、逆Ｕ形状のメス端子を装着した受容部（リセプタクル部）に対して、略２の字形状のオス端子を装着した突出部（プラグ部）を挿入することで、メス端子の相対する内面にオス端子を２点接触させる構成としたものである。
【０００８】
この基板接続用コネクタでは、互いに嵌合した状態で、一方のコネクタに加えられた振動や衝撃が他方のコネクタに伝達され難い構造となり、しかも、確実な接続状態を維持できるものの、次のような課題も残されていた。
【０００９】
オス端子をメス端子に２点接触させるための第１コンタクト部と第２コンタクト部とが、それらを支持するスプリングビームとコンタクトビームの間に位置しているため、オス端子の高さ寸法（全長）が長くなる。その結果、コネクタ全体の高さ寸法も大きくなり、それ以上の小型化を図り難いという問題があった。
【００１０】
【発明が解決しようとする課題】
本発明の課題は、一方のコネクタに加えられた振動や衝撃が他方のコネクタに伝達されにくく、コネクタどうしの確実な接続状態を維持できる上に、小型化も図りやすい構造とした基板接続用コネクタを提供することにある。
【００１１】
【課題を解決するための手段】
本発明の基板接続用コネクタは、オス端子の挿入方向に延びる第１コンタクト片と第２コンタクト片とが互いに間隔をおいて形成された受容部を有するメス端子がハウジングに装着されたリセプタクルコネクタと、
前記受容部内に挿入された状態で、前記第１コンタクト片に接触する第１コンタクト部と前記第２コンタクト片に接触する第２コンタクト部とが形成された突出部を有するオス端子がハウジングに装着されたプラグコネクタと、
前記オス端子の前記ハウジングに対する固定部と前記突出部との間に設けられ、前記メス端子に対するオス端子の接触状態を保持する弾性支持部とを備えている。
【００１２】
本発明のコネクタによれば、オス端子の突出部がメス端子の受容部内へ挿入された状態（嵌合状態）では、オス端子の第１コンタクト部がメス端子の第１コンタクト片に接触し、第２コンタクト部が第２コンタクト片に接触する。この状態では、突出部に自由度を与える弾性支持部の作用が加わるため、プラグコネクタとリセプタクルコネクタとが所定の範囲で相対変位できる状態になる。即ち、突出部が受容部に対して電気的接続状態を維持しつつ、所定の範囲で相対変位できる状態になる。
【００１３】
具体的には、第１コンタクト部と第１コンタクト片、および第２コンタクト部と第２コンタクト片とがそれぞれ接触状態を維持しつつ、メス端子に対するオス端子の挿入方向への相対変位を許容する。さらに、弾性支持部の作用および湾曲部の作用により突出部全体が変形しつつ傾斜し、メス端子に対するオス端子の挿入方向と直交する方向の相対変位を許容する。
【００１４】
従って、プラグコネクタとリセプタクルコネクタの任意の方向の相対的な動きを許容しながら、第１コンタクト部および第２コンタクト部の双方が対応するコンタクト片に電気的に接続された状態を維持する。その結果、一方のコネクタに加えられた振動や衝撃が他方のコネクタに伝達されにくく、コネクタどうしの確実な電気的接続状態を維持することができる。
【００１５】
本発明の基板接続用コネクタは、互いに平行または直交する形態で電気的に接続される一方の基板と他方の基板を備え、一方の基板にリセプタクルコネクタが搭載され、他方の基板にプラグコネクタが搭載される。一方の基板と他方の基板が直交する形態では、例えば、携帯電話機のバッテリーと内部回路との接続部分であるバッテリーコネクタなどに好適に使用することができる。基板同士が互いに平行に配置される形態では、同じくバッテリーコネクタの他に、種々の電子機器に使用することができる。
【００１６】
前記メス端子の受容部は断面コ字形の凹面として形成され、その凹面の相対する内面の一方が第１コンタクト片で形成され、他方が第２コンタクト片で形成され、第１コンタクト部および第２コンタクト部が突出部の先端部に形成されていることが望ましい。このように、両コンタクト部を突出部の先端部に形成した場合、受容部及び突出部の挿入方向（嵌合方向）の奥行きを小さくして、全体の小型化（薄型化）を図ることができる。
【００１７】
前記オス端子は、ハウジングに対する固定部から突出部に向かって直線状に延びる弾性支持部と、その弾性支持部の先端から分岐した一対の分岐片と、両分岐片の先端部にそれぞれ設けられた第１コンタクト部および第２コンタクト部とを備え、各分岐片には、その長さ方向の途中にＵ形状の湾曲部がそれぞれ形成され、各湾曲部が弾性支持部の先端よりも固定部側へ変位していることが望ましい。
【００１８】
このように、突出部の両分岐片に設けた湾曲部を、弾性支持片の先端よりも固定部側へ変位させることで、両分岐片に弾力性を与えるために必要な長さを確保しつつ、オス端子の高さ寸法を短くすることができる。これにより、コネクタ全体の高さを低くして、さらなる小型化を図ることができる。
【００１９】
前記第１コンタクト部と第２コンタクト部とは、弾性支持部の中心軸線に対して相対する位置に設けられ、かつ、各分岐片の弾性によって互いに接近及び離間する方向へ変位可能であることが望ましい。このように構成した場合、第１コンタクト部および第２コンタクト部に大きな弾力性が付与されるので、対応するコンタクト片に対して、十分な接触力が得られる。これにより、衝撃等が加わったときに、端子同士が瞬間的に非接触状態になることを防止できる。
【００２０】
前記突出部と受容部との間には、それら突出部と受容部の嵌合状態において嵌合方向のＺ方向、Ｚ方向と直交するＹ方向（横方向）、Ｚ方向及びＹ方向と直交するＸ方向（縦方向）、のそれぞれに所定範囲の遊びを形成するためのクリアランスが設けられ、その遊びの範囲内でオス端子とメス端子との接触状態が維持されていることが望ましい。このように、プラグコネクタとリセプタクルコネクタとが互いに嵌合した状態で、Ｘ、Ｙ、Ｚの三方向に遊びを形成した場合、一方のコネクタに加えられる振動や衝撃をこの遊びで吸収し、他方のコネクタへ伝達されないようにすることができる。
【００２１】
【発明の実施の形態】
本発明に係る基板接続用コネクタの実施の形態について、添付の図１〜図７を参照して説明する。図１はコネクタ同士の嵌合状態を示す断面図である。図２はオス端子の側面図である。図３はコネクタ同士の嵌合前の状態を示す断面図である。
【００２２】
この基板接続用コネクタ１は、プラグコネクタ２とリセプタクルコネクタ３とで構成されている。プラグコネクタ２が図３に示すように一方の基板４に搭載され、リセプタクルコネクタ３が一方の基板４と平行な面内にある他方の基板５に搭載されている。従って、この基板接続用コネクタ１を介して双方の基板４、５が電気的に接続される。
【００２３】
以下、これらの詳細について説明する。基板接続用コネクタ１のプラグコネクタ２は、図２及び図３に示すように、側面から見てＷ形状の突出部９を有するオス端子７が、絶縁ハウジング６に装着された構成である。リセプタクルコネクタ３は、図３に示すように、オス端子７の受容部１６を有するメス端子１７が絶縁ハウジング１８に装着された構成である。
【００２４】
メス端子１７の受容部１６は、オス端子７の挿入方向に延び、互いに間隔を有する第１コンタクト片２１及び第２コンタクト片２２を有する。受容部１６は断面コ字形の凹面として形成され、その凹面の相対する内面の一方が第１コンタクト片２１で形成され、他方が第２コンタクト片２２で形成されている。
【００２５】
但し、図示例では、凹面として形成されている受容部１６の相対する内面の双方と底面とが帯板状の金属板で一体に形成されている。その結果、メス端子１７とオス端子７との嵌合時の位置合わせについて、メス端子１７の左右の向き（リセプタクルコネクタがその軸線を中心に１８０度回転した位置）に関する制限は受けないように配慮されている。つまり、リセプタクルコネクタ３は、左右反転した両方の位置で、プラグコネクタ２と嵌合可能に配慮されている。
【００２６】
なお、図示はしないがリセプタクルコネクタ３の絶縁ハウジング１８は平面矩形に形成されている。メス端子１７は、絶縁ハウジング１８に所定のピッチで横並びに設けられている。メス端子１７は、バッテリーコネクタの場合には、通常、３つ設けられる。絶縁ハウジング１８は、上下面に開口を有する箱状に形成され、その内壁面に沿って端子装着溝１９、１９がそれぞれ形成されている。そして、各端子装着溝１９に各メス端子１７が装着されている。
【００２７】
各メス端子１７は、絶縁ハウジング１８の上面１８ａに沿うように両側に延長した、半田テイル２３、２３を有している。
【００２８】
プラグコネクタ２は、絶縁ハウジング６に所定のピッチで横並び（図３中紙面に直交する方向）に配置された複数のオス端子７（１つのオス端子のみ図示）を備えている。絶縁ハウジング６は、平面略方形のハウジング本体８の上側に突出する形態の凸部８ａを有し、図３に表れているように、凸形状とされている。
【００２９】
オス端子７は、ハウジング本体８への固定部１３と、ハウジング本体８から突出する突出部９（図２参照）と、その突出部９と固定部１３との間に形成された弾性支持部１０とを有している。弾性支持部１０はオス端子７の突出部９に任意の方向への弾性変形を与えるために設けた部分である。
【００３０】
この弾性支持部１０は、ハウジング６に対する固定部１３から突出部９の中央部に向かって直線状に延びている。そして、弾性支持部１０の先端１０ａが突出部９の中央部に連続することで、突出部９が弾性支持部１０に支持されている。
【００３１】
即ち、オス端子７は、ハウジング６に対する固定部１３から突出部９に向かって直線状に延びる弾性支持部１０と、その弾性支持部１０の先端１０ａから分岐した一対の分岐片７ａ、７ｂと、両分岐片７ａ、７ｂの先端部にそれぞれ設けられた第１コンタクト部７１及び第２コンタクト部７２とを備えている。さらに、各分岐片７ａ、７ｂには、その長さ方向の途中にＵ形状の湾曲部７ｃ、７ｄがそれぞれ形成され、各湾曲部７ｃ、７ｄが弾性支持部１０の先端１０ａよりも固定部１３側へ変位している。
【００３２】
第１コンタクト部７１と第２コンタクト部７２とは、弾性支持部１０の中心軸線ａに対して相対する位置に設けられ、かつ、各分岐片７ａ、７ｂの弾性によって互いに接近及び離間する方向へ変位可能に構成されている。
【００３３】
ハウジング本体８の下面開口８ｂ側からオス端子７を挿入して装着できるように、ハウジング本体８から凸部８ａに亘って複数の端子受入孔（１つのみ図示）１１が所定のピッチ（図３中、紙面に直交する方向）で形成されている。また、ハウジング本体８の相対する内壁面には下面８ｂで開口している端子固定溝１２、１２が形成されている。端子固定溝１２、１２は、各端子受入孔１１と対応して、ハウジング本体８の両側に配置されている。
【００３４】
端子固定溝１２、１２には、固定部１３の両側に形成された固定用アーム部１３ａ、１３ａがそれぞれ装着される。このオス端子７にも半田テイル１４、１４が形成されている。この半田テイル１４、１４は、固定部１３の両側から突出する形態であり、固定アーム部１３ａの下方に位置している。
【００３５】
第１コンタクト部７１と第２コンタクト部７２との間隔は、受容部１６の相対する内面間の間隔ｄよりも大きく形成されている。また、第１コンタクト部７１及び第２コンタクト部７２の先端面は、外側に向かって下り勾配の傾斜面に形成されている。この下り勾配の傾斜面は、第１コンタクト片２１及び第２コンタクト片２２に対して、第１コンタクト部７１及び第２コンタクト部７２が多少位置ずれした状態でも円滑に接触できるように配慮したものである。
【００３６】
即ち、プラグコネクタ２とリセプタクルコネクタ３とが、図３に示すように、例えば距離αだけオフセットされていても、コネクタ同士を良好な形態で接続できるように配慮されている。
【００３７】
突出部９を保持する凸部８ａと受容部１６との間には、突出部９と受容部１６の嵌合状態において、図７に示すように、嵌合方向のＺ方向、Ｚ方向と直交するＹ方向（横方向）、Ｚ方向及びＹ方向と直交するＸ方向（縦方向）、のそれぞれに所定範囲の遊びを形成するためのクリアランスＣｚ、Ｃｙ、Ｃｘが設けられている。そして、その遊びの範囲内でオス端子７とメス端子１７との接触状態が維持されるように設計されている。
【００３８】
このように、プラグコネクタ２とリセプタクルコネクタ３とが互いに嵌合した状態で、Ｘ、Ｙ、Ｚの三方向に遊びを形成することで、一方のコネクタに加えられる振動や衝撃をこの遊びで吸収し、他方のコネクタへ伝達されないように配慮している。
【００３９】
さらに、オス端子７は、Ｚ方向に膨らむＵ形状の湾曲部７ｃ、７ｄがそれぞれ形成された分岐片７ａ、７ｂを有する。そして、突出部９を受容部１６に挿入する際の反力で分岐片７ａ、７ｂ及び弾性支持部１０がそれぞれ弾性変形してプラグコネクタ２とリセプタクルコネクタ３とが電気的に良好に接続されるように設計されている。これは、コネクタ同士のオフセット量を許容しつつ、振動や衝撃吸収性能をより有効に高めることができるように配慮したものである。
【００４０】
突出部９と受容部１６との嵌合方向であるＺ方向（図１参照）のクリアランスＣｚは、プラグコネクタ２の絶縁ハウジング６と、リセプタクルコネクタ３の絶縁ハウジング１８との間に形成されていて、この方向においても突出部９と受容部１６が相対的に移動できる遊びが設けられている。
【００４１】
このクリアランスＣｚは、プラグコネクタ２を構成するオス端子７の弾性支持片１０と両分岐片７ａ、７ｂの弾性によって、嵌合時に自動的に形成されるようになっている。即ち、受容部１６に突出部９を嵌合して、第１及び第２コンタクト部７１、７２が第１及び第２コンタクト片２１、２２にそれぞれ接触した状態においてクリアランスＣｚが形成されるように設計されている。
【００４２】
前記Ｘ、Ｙ、Ｚ方向の遊びには、更に、規制も形成されている。即ち、Ｘ方向及びＹ方向の遊びは、凸部８ａの外壁が受容部１６の対向する内面に当接することで規制されるようになっている。また、Ｚ方向の遊びは、メス端子１７の天面１７ａに凸部８ａの上端面が当接することで規制されるように設計されている。
【００４３】
この実施形態によれば、オス端子７の突出部９がメス端子１７の受容部１６内へ挿入された状態（嵌合状態）では、オス端子７の第１コンタクト部７１がメス端子１７の第１コンタクト片２１に接触し、第２コンタクト部７２が第２コンタクト片２２に接触する。この状態では、突出部９に自由度を与える弾性支持部１０の作用が加わるため、プラグコネクタ２とリセプタクルコネクタ３とが所定の範囲で相対変位できる状態になる。即ち、突出部９が受容部１６に対して電気的接続状態を維持しつつ、所定の範囲で相対変位できる状態になる。
【００４４】
具体的には、第１コンタクト部７１と第１コンタクト片２１、および第２コンタクト部７２と第２コンタクト片２２とがそれぞれ接触状態を維持しつつ、メス端子１７に対するオス端子７の挿入方向（Ｚ方向）への相対変位を許容する。さらに、弾性支持部１０の作用および湾曲部７ｃ、７ｄを有する分岐片７ａ、７ｂの作用により突出部９全体が変形しつつ傾斜し、メス端子１７に対するオス端子７の挿入方向と直交する方向（Ｘ方向、Ｙ方向）の相対変位を許容する。
【００４５】
従って、プラグコネクタ２とリセプタクルコネクタ３の任意の方向の相対的な動きを許容しながら、第１コンタクト部７１および第２コンタクト部７２の双方が対応するコンタクト片２１、２２に電気的に接続された状態を維持する。その結果、一方のコネクタに加えられた振動や衝撃が他方のコネクタに伝達されにくく、コネクタどうしの確実な電気的接続状態を維持することができる。
【００４６】
図４〜図６に、コネクタ同士がオフセット状態において嵌合する場合の具体例を段階的に示している。まず、図４に示すように、オス端子７の第２コンタクト部７２がリセプタクルコネクタ３の受容部１６の口縁１６ａに接触する。
【００４７】
次に、図５に示すように、オス端子７が受容部１６へ向かってさらに挿入されると、分岐片７ｂ及び弾性支持部１０が分岐片７ａ側に弾性変形し、これにより突出部９が分岐片７ａ側へ大きく傾斜する。
【００４８】
次に、図６に示すように、オス端子７は、その第１コンタクト部７１が第１コンタクト片２１に接触し、第２コンタクト部７２が第２コンタクト片２２に接触した状態を保ちながら、受容部１６の奥へと挿入される。この際、突出部９全体が傾斜しているため、第１コンタクト部７１は第１コンタクト片２１に対して十分な圧力で接触する。
【００４９】
また、メス端子１７の受容部１６は断面コ字形の凹面として形成され、その凹面の相対する内面の一方が第１コンタクト片２１で形成され、他方が第２コンタクト片２２で形成され、第１コンタクト部７１および第２コンタクト部７２が突出部９の先端部に形成されている。これにより、受容部１６及び突出部９の挿入方向（嵌合方向）の奥行きを小さくして、全体の小型化（薄型化）を図ることができる。
【００５０】
また、突出部９の両分岐片７ａ、７ｂに設けた湾曲部７ｃ、７ｄを、弾性支持片１０の先端よりも固定部１３側へ変位させることで、両分岐片７ａ、７ｂに弾力性を与えるために必要な長さを確保しつつ、オス端子７の高さ寸法を短くすることができる。これにより、コネクタ全体の高さを低くして、さらなる小型化を図ることができる。
【００５１】
さらに、第１コンタクト部７１と第２コンタクト部７２とは、弾性支持部１０の中心軸線ａに対して相対する位置に設けられ、かつ、各分岐片７ａ、７ｂの弾性によって互いに接近及び離間する方向へ変位可能に構成されている。従って、第１コンタクト部７１および第２コンタクト部７２に大きな弾力性が付与されるので、対応するコンタクト片２１、２２に対して、十分な接触力が得られる。これにより、衝撃等が加わったときに、端子同士が瞬間的に非接触状態になることを防止できる。
【００５２】
なお、オス端子７の各コンタクト部、およびメス端子１７の各コンタクト片には、長期の使用において、酸化皮膜が形成されて、嵌合時の電気的接続が害されることがある。しかしながら、この基板接続用コネクタ１では、突出部９と受容部１６の間の相対移動によって、プラグコネクタ２側の第１コンタクト部７１及び第２コンタクト部７２が、リセプタクルコネクタ３側の第１コンタクト片２１及び第２コンタクト片２２の表面を擦るようにして移動するので、これによって酸化皮膜を除去して、良好な電気的接続を確保することができる。
【００５３】
【発明の効果】
以上のように、本発明に係る基板接続用コネクタによれば、一方のコネクタに加えられた振動や衝撃が他方のコネクタに伝達されにくく、コネクタどうしの確実な接続状態を維持できる上に、小型化も図りやすい構造とすることができる。
【図面の簡単な説明】
【図１】本発明に係る基板接続用コネクタの断面図である。
【図２】本発明に係る基板接続用コネクタのオス端子の側面図である。
【図３】本発明に係る基板接続用コネクタの嵌合前の断面図である。
【図４】本発明に係る基板接続用コネクタの作用を示す断面図である。
【図５】本発明に係る基板接続用コネクタの作用を示す断面図である。
【図６】本発明に係る基板接続用コネクタの作用を示す断面図である。
【図７】本発明に係る基板接続用コネクタの水平概略断面図である。
【符号の説明】
１  基板接続用コネクタ
２  プラグコネクタ
３  リセプタクルコネクタ
４、５  基板
６、１８  絶縁ハウジング（ハウジング）
７  オス端子
７ａ、７ｂ  分岐片
７ｃ、７ｄ  湾曲部
８  ハウジング本体
８ａ  凸部
８ｂ  下面
９  突出部
１０  弾性支持部
１０ａ  先端部
１１  端子受け入れ孔
１２  端子固定溝
１３  固定部
１３ａ  アーム部
１４、２３  半田テール
１６  受容部
１７  メス端子
２１  第１コンタクト片
２２  第２コンタクト片
Ｃｘ、Ｃｙ、Ｃｚ  クリアランス
【図１】
0004061117.tif 000002
【図２】
0004061117.tif 000003
【図３】
0004061117.tif 000004
【図４】
0004061117.tif 000005
【図５】
0004061117.tif 000006
【図６】
0004061117.tif 000007
【図７】
0004061117.tif 000008